(57)【要約】【課題】簡易な構造で、上部及び下部ドアを容易に開閉することができる車両用ドア開閉装置を提供する。【解決手段】車両用ドア開閉装置１０は、車両１２に形成される開口部１４に対して上下端を回動支点として上下方向にそれぞれ回動開閉可能に配置された上部ドア１６及び下部ドア１８とを有する。また、車両用ドア開閉装置１０は、上部ドア１６と下部ドア１８とを連結するリンク機構２０を有する。リンク機構２０は、上部又は下部ドア１６，１８のいずれか一方のドアの開閉動作に連動して、他方のドアを開状態または閉状態へ作動させることを特徴とする。この構成により、簡易な構造で、上部及び下部ドア１６，１８を容易に開閉することができる【選択図】図４
2014151763.tif 000002
【特許請求の範囲】
【請求項１】
車両に形成される開口部に対して上下端を回動支点として上下方向にそれぞれ回動開閉可能に配置された上部ドア及び下部ドアとを有する車両用ドア開閉装置において、
上部ドアと下部ドアとを連結するリンク機構を有し、
前記リンク機構は、上部又は下部ドアのいずれか一方のドアの開閉動作に連動して、他方のドアを開状態または閉状態へ作動させる、
ことを特徴とする車両用ドア開閉装置。
【請求項２】
請求項１に記載の車両用ドア開閉装置において、
前記リンク機構は、
一端が下部ドアに固定され、他端が自由端である第１リンクアームと、
一端が第１リンクアームの自由端に回動可能に接続されるとともに、他端が上部ドアに回動可能に接続される第２リンクアームとを有する、
ことを特徴とする車両用ドア開閉装置。
【請求項３】
請求項２に記載の車両用ドア開閉装置において、
第１リンクアームは、下部ドアが閉状態から開状態へ回動するとき、第１リンクアームの自由端が上方に向けて移動するように下部ドアに固定される、
ことを特徴とする車両用ドア開閉装置。
【発明の詳細な説明】
【技術分野】
【０００１】
本発明は車両用ドア開閉装置に関し、特に開閉機構の改良に関する。
【背景技術】
【０００２】
従来から、車両に形成される開口部に対して上下端を回動支点として上下方向にそれぞれ回動開閉可能に配置された上部ドア及び下部ドアとを有する車両用ドア開閉装置が知られている。
【０００３】
下記特許文献１には、車両後方の開口に対して開閉可能に設けられた上側ドアと下側ドアとを有する車両用バックドア開閉装置が記載されている。上側ドアは、上端にヒンジが設けられ、このヒンジを介して車両本体の上部に回動可能に連結される。下側ドアは、下端にヒンジが設けられ、このヒンジを介して車両本体の下部に回動可能に連結される。この特許文献１のドア開閉装置は、上側又は下側ドアのいずれのドアからでも開閉操作が可能なリンク機構を備えている。
【先行技術文献】
【特許文献】
【０００４】
【特許文献１】特開２０１１−５９６５号公報
【発明の概要】
【発明が解決しようとする課題】
【０００５】
上記特許文献のドア開閉装置においては、上側又は下側のいずれのドアからでも開閉操作することができる。しかしながら、両方のドアを開閉するときは、ユーザが両方のドアを作動させなければならず、手間がかかるという問題がある。一方、従来から、車両本体とドアとの間にガススプリングなどを設け、このガススプリングの反力により、ドアを開状態へと作動させる方法が知られている。しかし、ドアの閉状態のときにドア自体にかかるガススプリングの反力によりドアが変形してしまうことを防止するため、ドアの剛性を補強しなければならならず、車両重量が増加してしまうという問題がある。
【０００６】
本発明の目的は、車両に形成される開口部に対して上部ドアと下部ドアとが設けられる車両用ドア開閉装置において、簡易な構造で、これらのドアを容易に開閉することができる車両用ドア開閉装置を提供することにある。
【課題を解決するための手段】
【０００７】
本発明は、車両に形成される開口部に対して上下端を回動支点として上下方向にそれぞれ回動開閉可能に配置された上部ドア及び下部ドアとを有する車両用ドア開閉装置において、上部ドアと下部ドアとを連結するリンク機構を有し、前記リンク機構は、上部又は下部ドアのいずれか一方のドアの開閉動作に連動して、他方のドアを開状態または閉状態へ作動させることを特徴とする。
【０００８】
また、前記リンク機構は、一端が下部ドアに固定され、他端が自由端である第１リンクアームと、一端が第１リンクアームの自由端に回動可能に接続されるとともに、他端が上部ドアに回動可能に接続される第２リンクアームとを有することを特徴とする。
【０００９】
また、第１リンクアームは、下部ドアが閉状態から開状態へ回動するとき、第１リンクアームの自由端が上方に向けて移動するように下部ドアに固定されることを特徴とする。
【発明の効果】
【００１０】
本発明の車両用ドア開閉装置によれば、簡易な構造で、上部及び下部ドアを容易に開閉することができる。
【図面の簡単な説明】
【００１１】
【図１】本実施形態に係るバックドアの全閉状態における車両の後方斜視図である。
【図２】本実施形態に係るバックドアの半開状態における車両の後方斜視図である。
【図３】本実施形態に係るバックドアの全開状態における車両の後方斜視図である。
【図４】ドア開閉装置を示す図である。
【図５】全閉状態のドア開閉装置を示す図である。
【図６】全開状態のドア開閉装置を示す図である。
【発明を実施するための形態】
【００１２】
以下、本発明に係る車両用ドア開閉装置の実施形態について、図を用いて説明する。一例として、車両後部に形成された開口を開閉するバックドアを挙げ、このバックドアの開閉装置について説明する。なお、本発明は、上記のようなバックドアに限らず、例えば車両の側面に形成された開口を開閉するドアにも適用できる。
【００１３】
まず、本実施形態に係る車両用ドア開閉装置について図１−３を用いて説明する。図１は、本実施形態に係るバックドアの全閉状態における車両の後方斜視図であり、図２は、本実施形態に係るバックドアの半開状態における車両の後方斜視図であり、図３は、本実施形態に係るバックドアの全開状態における車両の後方斜視図である。
【００１４】
本実施形態の車両用ドア開閉装置（以下、単に「ドア開閉装置」と記す）１０は、図１−３に示されるように、車両１２の後部に設けられる。車両１２の後部には、図２，３に示されるような開口部１４が形成されている。そして、ドア開閉装置１０は、開口部１４を開閉するドアを有する。このドアは、上部ドア１６と下部ドア１８とから成る上下２分割構造に構成されている。なお、開口部１４は、上部及び下部ドア１６，１８を全閉状態にしたときにこれらのドア１６，１８と対向するように形成される。
【００１５】
上部ドア１６は、上端に車幅方向へ延びるヒンジ（図示せず）が設けられている。そして、上部ドア１６は、このヒンジを介して車両１２の上部、すなわち開口部１４の上側縁１４ａに回動可能に連結される。一方、下部ドア１８は、下端に車幅方向へ延びるヒンジ（図示せず）が設けられている。そして、下部ドア１８は、このヒンジを介して車両１２の下部、すなわち開口部１４の下側縁１４ｂに回動可能に連結される。そして、これらのヒンジを中心に各ドア１６，１８がそれぞれ回動することで、開口部１４の開閉が行われる。
【００１６】
本実施形態のドア開閉装置１０は、上部ドア１６と下部ドア１８とを連結するリンク機構２０を有する。リンク機構２０は、上部又は下部ドア１６，１８のいずれか一方のドアの開閉動作に連動して、他方のドアを開状態または閉状態へ作動させる。
【００１７】
このようなリンク機構２０という簡易な構成により、ユーザが下部ドア１８を開ければ、上部ドア１６も開状態になり、ユーザが上部ドア１６を開ければ、下部ドア１８も開状態になるので、ユーザが両方のドア１６，１８を開けるという手間を省くことができる。また、ユーザが下部ドア１８を閉じれば、上部ドア１６も閉状態になり、ユーザが上部ドア１６を閉じれば、下部ドア１８も閉状態になるので、ユーザが両方のドア１６，１８を閉じるという手間を省くことができる。そして、ユーザの手によらずに下部ドア１８の自重によって下部ドア１８の開動作が半開状態から全開状態まで行われる。つまり、この間においては、ユーザが下部ドア１８を開けるという手間を省くことができる。また、リンク機構２０を設けることにより、従来から採用されている、上側に開くドアの開動作を補助するガススプリングを省くことができるので、上部ドア１６の剛性を小さくすることができる。その結果として、車両重量を軽量化することができる。
【００１８】
次に、リンク機構２０の具体的な構成について、図４−６を用いて説明する。図４は、ドア開閉装置を示す図であり、図５は、全閉状態のドア開閉装置を示す図であり、図６は、全開状態のドア開閉装置を示す図である。
【００１９】
リンク機構２０は、上部ドア１６と下部ドア１８を連結している。また、リンク機構２０は、車幅方向における上部及び下部ドア１６，１８の両端にそれぞれ一対もしくは一方に連結される。すなわち、リンク機構２０は、上部及び下部ドア１６，１８の両側部にそれぞれ一対もしくはどちらか片側に連結される。例えば、リンク機構２０は、上部ドア１６の回動支点１６ａと上部ドア１６の下部ドア１８側における端部１６ｂとを結ぶ間の部分と、下部ドア１８の回動支点１８ａと下部ドア１８の上部ドア１６側における端部１８ｂとを結ぶ間の部分とを連結している。なお、本発明はこの構成に限定されず、リンク機構２０が上部ドア１６と下部ドア１８を連結するのであれば、他の連結構造とすることができる。
【００２０】
リンク機構２０は、第１リンクアーム２２と第２リンクアーム２４とを有する。第１リンクアーム２２の一端２２ａは、下部ドア１８に固定される。一方、第１リンクアームの他端２２ｂは、自由端であり、第２リンクアーム２４に接続される。
【００２１】
第２リンクアーム２４の一端２４ａは、第１リンクアームの他端２２ｂに回動可能に接続される。具体的には、第２リンクアーム２４の一端２４ａは、第１リンクアーム２２の他端２２ｂに支持ピン２６を介して回動自在に支持される。一方、第２リンクアーム２４の他端２４ｂは、上部ドア１６に回動可能に接続される。他端２４ｂは、上述したように、上部ドア１６の回動支点１６ａと上部ドア１６の下部ドア１８側における端部１６ｂとを結ぶ間の部分であって、上部ドア１６の側部に設けられた支軸２８に回動自在に支持される。
【００２２】
第１リンクアーム２２は、下部ドア１８が閉状態から開状態へ回動するとき、第１リンクアーム２２の他端２２ｂが上方に向けて移動するように下部ドア１８に固定される。この第１リンクアーム２２の他端２２ｂの上方向への回転トルクが、第２リンクアーム２４を介して上部ドア１６の開方向（上方向）への移動運動に変換される。
【００２３】
また、第１リンクアーム２２の他端２２ｂと第２リンクアーム２４の一端２４ａは、下部ドア１８の開閉動作中、第２リンクアーム２４の他端２４ｂと下部ドア１８の回動支点１８ａとを結ぶ線より車両前側に位置し、第２リンクアーム２４の他端２４ｂは、下部ドア１８の開閉動作中、上部ドア１６の回動支点１６ａと、第１リンクアーム２２の他端２２ｂ及び第２リンクアーム２４の一端２４ａとを結ぶ線より車両後側に位置することが好適である。この構成により、開閉動作をスムーズに行うことができるとともに、下部ドア１８又は上部ドア１６のいずれかのドアからでも開閉操作を行うことができる。
【００２４】
次に、ドア開閉装置１０の動作について説明する。まず、ドアの全閉状態から全開状態までの動作について説明する。ユーザにより、下部ドア１８の開操作が行われる。開操作の途中から、下部ドア１８は自重により開方向へと回動する。この動作に連動し、リンク機構２０を介して、上部ドア１６が開方向へと回動する。これにより、上部及び下部ドア１６，１８が全開状態となる。
【００２５】
ドアの全開状態から全閉状態までの動作について説明する。ユーザにより、下部ドア１８の閉操作が行われる。下部ドア１８が閉方向へ回動するのに連動し、リンク機構２０を介して、上部ドア１６が閉方向へと回動する。これにより、上部及び下部ドア１６，１８が全閉状態となる。なお、ユーザは、下部ドア１８を閉操作するのではなく、上部１６ドアを閉操作することによっても、両ドア１６，１８を閉状態とすることができる。
【００２６】
本実施形態のドア開閉装置１０によれば、上部又は下部ドア１６，１８のいずれか一方のドアを開閉操作することで、この操作に連動して他方のドアを開閉することができるので、ユーザの操作による手間を省くことができる。特に、開操作においては、下部ドア１８の自重により、上部及び下部ドア１６，１８双方を自動的に全開状態にすることができるので、開操作の効率性が大幅に向上する。また、リンク機構２０を設けることにより、従来から用いられるガススプリングを省くことができるので、ドア剛性の簡略化とともに、車両重量の軽量化を図ることができる。
【符号の説明】
【００２７】
１０  車両用ドア開閉装置、１２  車両、１４  開口部，１６  上部ドア、１８  下部ドア、２０  リンク機構、２２  第１リンクアーム、２４  第２リンクアーム、２６  支持ピン、２８  支軸。
【図１】
2014151763.tif 000003
【図２】
2014151763.tif 000004
【図３】
2014151763.tif 000005
【図４】
2014151763.tif 000006
【図５】
2014151763.tif 000007
【図６】
2014151763.tif 000008